(57)【要約】  本発明は、通信技術分野に属し、具体的には、家電システム用の制御方法に関する。本発明の制御方法は、家電とデータ記憶モジュールとの間にデータを転送する方式で、各家電の間での情報共有を実現することができる。一方、ある家電がその動作プログラムを設定するための情報を必要とする場合、該家電は、データ記憶モジュールから情報を自発的にダウンロードし、且つ、中央制御モジュールを介してデータ記憶モジュールと家電との間で調整制御を行う必要がなく、家電とセンサーとの間の関連の緊密さを低減させるだけでなく、さらに家電の動作時の動作過程を減少し、それにより家電の動作時の故障発生率を低減させ、家電の動作安定性を向上させる。また、各家電は、それぞれ複数のセンサを配置することなく多種類の情報を取得することができ、自体のセンサを介して基本的情報を収集して動作プログラムを設定すると共に、他の家電によって収集された有効な情報を取得することができ、それによって各家電の間では協調して動作することができ、家電のスマートな動作程度を向上させることができる。
2021536053.tif 000002
【特許請求の範囲】
【請求項１】
家電システム用の制御方法であって、前記家電システムは、データ記憶モジュールと、前記データ記憶モジュールと通信して接続された、データ供給家電と、データ使用家電とを含む複数の家電とを含み、前記制御方法は、
データ供給家電は、自体の動作データを前記データ記憶モジュールにアップロードするステップと、
データ使用家電は、前記データ記憶モジュールから必要なデータをダウンロードするステップと、
を含むことを特徴とする家電システム用の制御方法。
【請求項２】
「データ供給家電は、自体の動作データを前記データ記憶モジュールにアップロードする」ステップは、具体的には、
データ供給家電は、自体の全ての動作データを前記データ記憶モジュールにアップロードするステップを含むことを特徴とする請求項１に記載の家電システム用の制御方法。
【請求項３】
「データ供給家電は、自体の動作データを前記データ記憶モジュールにアップロードする」ステップは、具体的には、
データ供給家電は、予め設定されたアップロードされたデータのタイプに基づいてデータをスクリーニングするステップと、
データ供給家電は、スクリーニングされたデータを前記データ記憶モジュールにアップロードするステップと、
を含むことを特徴とする請求項１に記載の家電システム用の制御方法。
【請求項４】
「データ使用家電は、前記データ記憶モジュールから必要なデータをダウンロードする」ステップは、具体的には、
データ使用家電は、前記データ記憶モジュール内の全てのデータをダウンロードするステップ、を含むことを特徴とする請求項２又は３に記載の家電システム用の制御方法。
【請求項５】
「データ使用家電は、前記データ記憶モジュールから必要なデータをダウンロードする」ステップは、具体的には、
データ使用家電は、予め設定された必要なデータのタイプに基づいて、前記データ記憶モジュール内にデータをスクリーニングするステップと、
データ使用家電は、前記データ記憶モジュールからスクリーニングされたデータをダウンロードするステップと、
を含むことを特徴とする請求項２又は３に記載の家電システム用の制御方法。
【請求項６】
家電システム用の制御方法であって、前記家電システムは、データ記憶モジュールと、前記データ記憶モジュールと通信して接続された、データ供給家電と、データ使用家電とを含む複数の家電とを含み、前記制御方法は、
データ供給家電は、データ使用家電が前記データ記憶モジュールからダウンロードして使用するための自体の動作データを、前記データ記憶モジュールにアップロードするステップを含むことを特徴とする家電システム用の制御方法。
【請求項７】
家電システム用の制御方法であって、前記家電システムは、データ記憶モジュールと、前記データ記憶モジュールと通信して接続された、データ供給家電と、データ使用家電とを含む複数の家電とを含み、前記制御方法は、
データ使用家電は、前記データ記憶モジュールから、必要なデータすなわちデータ供給家電によって前記データ記憶モジュールにアップロードされたデータの中の少なくとも一部を、ダウンロードするステップを含むことを特徴とする家電システム用の制御方法。
【請求項８】
家電システム用の制御方法であって、前記家電システムは、データ記憶モジュールと、前記データ記憶モジュールと通信して接続された、データ供給家電と、データ使用家電とを含む複数の家電とを含み、前記制御方法は、
前記データ記憶モジュールは、データ供給家電によってアップロードされた動作データを受信するステップと、
前記データ記憶モジュールは、必要なデータをデータ使用家電に送信するステップと、
を含むことを特徴とする家電システム用の制御方法。
【請求項９】
家電システムであって、前記家電システムは、データ記憶モジュールと、前記データ記憶モジュールと通信して接続された、データ供給家電と、データ使用家電とを含む複数の家電とを含み、
前記家電に制御ユニットが設置され、前記家電は、前記制御ユニットを介してデータを前記データ記憶モジュールにアップロードし、且つ、前記家電は、前記制御ユニットを介して前記データ記憶モジュールから必要なデータをダウンロードすることを特徴とする家電システム。
【発明の詳細な説明】
【技術分野】
【０００１】
本発明は、通信技術分野に属し、具体的には、家電システム用の制御方法に関する。
【背景技術】
【０００２】
近年、ネットワーク技術と情報化レベルが絶えず向上することに伴い、スマート家電の応用は非常に広くなっている。従来の家電と比べて、スマート家電は、より優れた感度、正確な判断力、効果的な実行力を備える。スマート家電は、実際の動作シーンに基づいて動作プログラムを自ら設定することができ、それによって自主的かつ効率的な動作方式により、ユーザの生活環境に対する快適性と効率性の要求を満たすことができる。
【０００３】
一般的には、スマート家電には、情報を取得可能な複数のセンサが設置され、それによってスマート家電は、センサを介して実際の動作シーンに関連する情報を取得し、それにより取得した情報を総合的に統合した上で、その動作プログラムを自主的に設置し、調整し、最適化する。しかし、センサーは、自体の感度に対して一定の要求があるため、センサーの動作の正確性が低減し、さらに動作できなくなる可能性が高く、いったんセンサーが不感度になったり故障したりすると、スマート家電は、正常に動作しなくなる。つまり、複数のセンサーが設置されることは、スマート家電の動作の安定性を低減させる。一方、スマート家電は、ビッグデータ技術を利用してネットワークから必要な情報データを取得するにも、精度が不十分でデータが歪んでしまうという問題があるかもしれない。
【０００４】
それに応じて、本分野は、上記問題を解決するために、家電システム用の新たな制御方法を必要とする。
【発明の概要】
【発明が解決しようとする課題】
【０００５】
従来技術における上記問題を解決するために、すなわち、従来のスマート家電に配置された複数のセンサーがその動作の安定性を低減させ、ネットワークから必要な情報データを取得する正確度が低いという問題を解決するために、本発明は、家電システム用の制御方法を提供し、前記家電システムは、データ記憶モジュールと、前記データ記憶モジュールと通信して接続された、データ供給家電と、データ使用家電とを含む複数の家電とを含み、前記制御方法は、データ供給家電は、自体の動作データを前記データ記憶モジュールにアップロードするステップと、データ使用家電は、前記データ記憶モジュールから必要なデータをダウンロードするステップと、を含む。
【０００６】
上記家電システム用の制御方法の好ましい技術的解決手段において、「データ供給家電は、自体の動作データを前記データ記憶モジュールにアップロードする」ステップは、具体的には、データ供給家電は、自体の全ての動作データを前記データ記憶モジュールにアップロードするステップを含む。
【０００７】
上記家電システム用の制御方法の好ましい技術的解決手段において、「データ供給家電は、自体の動作データを前記データ記憶モジュールにアップロードする」ステップは、具体的には、データ供給家電は、予め設定されたアップロードされたデータのタイプに基づいてデータをスクリーニングするステップと、データ供給家電は、スクリーニングされたデータを前記データ記憶モジュールにアップロードするステップと、を含む。
【０００８】
上記家電システム用の制御方法の好ましい技術的解決手段において、「データ使用家電は、前記データ記憶モジュールから必要なデータをダウンロードする」ステップは、具体的には、データ使用家電は、前記データ記憶モジュール内の全てのデータをダウンロードするステップを含む。
【０００９】
上記家電システム用の制御方法の好ましい技術的解決手段において、「データ使用家電は、前記データ記憶モジュールから必要なデータをダウンロードする」ステップは、具体的には、データ使用家電は、予め設定された必要なデータのタイプに基づいて、前記データ記憶モジュール内にデータをスクリーニングするステップと、データ使用家電は、前記データ記憶モジュールからスクリーニングされたデータをダウンロードするステップと、を含む。
【００１０】
家電システム用の制御方法であって、前記家電システムは、データ記憶モジュールと、前記データ記憶モジュールと通信して接続された、データ供給家電と、データ使用家電とを含む複数の家電とを含み、前記制御方法は、データ供給家電は、データ使用家電が前記データ記憶モジュールからダウンロードして使用するための自体の動作データを、前記データ記憶モジュールにアップロードするステップを含む。
【００１１】
家電システム用の制御方法であって、前記家電システムは、データ記憶モジュールと、前記データ記憶モジュールと通信して接続された、データ供給家電と、データ使用家電とを含む複数の家電とを含み、前記制御方法は、データ使用家電は、前記データ記憶モジュールから、必要なデータすなわちデータ供給家電によって前記データ記憶モジュールにアップロードされたデータの中の少なくとも一部を、ダウンロードするステップを含む。
【００１２】
家電システム用の制御方法であって、前記家電システムは、データ記憶モジュールと、前記データ記憶モジュールと通信して接続された、データ供給家電と、データ使用家電とを含む複数の家電とを含み、前記制御方法は、前記データ記憶モジュールは、データ供給家電によってアップロードされた動作データを受信するステップと、前記データ記憶モジュールは、必要なデータをデータ使用家電に送信するステップと、を含む。
【００１３】
家電システムであって、前記家電システムは、データ記憶モジュールと、前記データ記憶モジュールと通信して接続された、データ供給家電と、データ使用家電とを含む複数の家電とを含み、前記家電に制御ユニットが設置され、前記家電は、前記制御ユニットを介してデータを前記記憶モジュールにアップロードし、且つ、前記家電は、前記制御ユニットを介して前記データ記憶モジュールから必要なデータをダウンロードする。
【００１４】
当業者が理解できるのは、本発明の家電システム用の制御方法は、家電とデータ記憶モジュールとの間のデータ転送を実現することができる。全ての家電がいずれもデータ記憶モジュールとそれぞれ通信して接続可能である場合、全ての家電は、いずれも自体で収集した動作環境に関する情報、自体の動作情報などを基本データとして、データ記憶モジュールにアップロードし、それによってデータ記憶モジュールは、ユーザの家の実環境を全方位的に反映できるデータベースとなり、それによって各家電の間ではデータ共有を実現することができる。一方、ある家電がその動作プログラムを設定するための関連情報を必要とする場合、該家電は、センサを介して情報を収集する必要がなく、データ記憶モジュールから必要な情報を直接ダウンロードすることができる。この場合、家電内に設置されたセンサが突然故障しても、該家電は、情報データの不足で正常に動作しなくなることはなく、且つ、その間に中央制御モジュールを設置し、データ記憶モジュールと家電との間に制御を行う必要がない。これにより、家電とセンサとの間の関連の緊密さを低減させると共に、家電の動作時の動作過程を減少させ、それにより家電の動作時の故障発生率を低減させ、家電の動作の安定性を向上させる。また、データ記憶機器内の情報は、いずれも各家電によってリアルタイムに取得されてアップロードされるため、ネットワークから情報を直接取得する方式と比べて、データ記憶機器中の情報は、正確度が高いから、ユーザの家の実環境をより反映することができ、それにより各家電は該情報に基づいて適切な実行プログラムを設定しやすい。また、各家電は、必要なパラメータ情報について、複数のセンサを配置する必要がなく、自体のセンサを介して基本的動作情報を収集して動作プログラムを設定すると共に、他の家電から収集された情報を取得することができ、それによって該家電は、他の有効な情報に基づいて、設定された動作プログラムを最適化することができ、それによって各家電の間では協調して動作することができ、家電のスマート動作度を向上させることができ、個々の家電のハードウェアのコストを低減させることができる。
【図面の簡単な説明】
【００１５】
【図１】本発明の家電システム用の制御方法の主なステップのフローチャートである。
【図２】本発明の家電システム用の制御方法の好ましい実施例のシステム構成図である。
【図３】本発明の家電システム用の制御方法の好ましい実施例の詳細なステップのフローチャートである。
【発明を実施するための形態】
【００１６】
なお、本願において、本発明の制御方法の各ステップを特定の順序で説明したが、これらの順序は限定的なものではなく、本発明の基本原理から逸脱することなく、当業者は、異なる順序で前記ステップを実行することができる。
【００１７】
背景技術に指摘された従来のスマート家電に配置された複数のセンサーがその動作の安定性を低減させるという問題に基づいて、本発明は、家電システム用の制御方法を提供し、家電とセンサとの間の関連の緊密さを低減させ、それによってセンサが突発的に故障した場合にも家電が正常に動作し、家電の動作の安定性を向上させることを目的とする。
【００１８】
まず、図１と図２を参照し、図１は家電システム用の制御方法の主なステップのフローチャートであり、図２は本発明の家電システム用の制御方法の好ましい実施例のシステム構成図である。図１と図２に示すように、本発明の家電システムは、データ記憶モジュールと、該データ記憶モジュールと通信して接続された、データ供給家電Ｐと、データ使用家電Ｕとを含む複数の家電とを含み、該制御方法は、    
【００１９】
データ供給家電Ｐは、自体の動作データをデータ記憶モジュールにアップロードするステップＳ１と、
【００２０】
データ使用家電Ｕは、データ記憶モジュールから必要なデータをダウンロードするステップＳ２と、を含む。
【００２１】
ステップＳ１において、各データ供給家電Ｐは、いずれも自体の動作情報、センサによって収集された情報等のデータを、データ記憶モジュールにアップロードすることができ、それによってデータ記憶モジュールは、複数の情報を集約でき、ユーザの家の実環境を全方位的に表現することができるデータベースとなる。一例として、データ記憶モジュールは通信ユニットを含み、データ供給家電Ｐは、その自体の通信モジュールを介してデータ記憶モジュールの通信ユニットに接続することができ、且つ、データ供給家電Ｐは、その自体の制御モジュールを介してデータのアップロード動作を実行することもできる。例えば、データ供給家電Ｐがスマート洗濯機である場合、該スマート洗濯機の通信モジュールがデータ記憶モジュールの通信ユニットと連通する場合、スマート洗濯機のコンピュータボードは、該洗濯機を制御して動作情報、水質情報、水温情報等のデータを、データ記憶ユニットにアップロードさせ、それによって他のスマート家電は、データ記憶ユニットから必要な情報をダウンロードすることができる。
【００２２】
ステップＳ２において、各データ使用家電Ｕは、いずれもデータ記憶モジュールから必要な情報をダウンロードすることができる。同様に、データ使用家電Ｕは、その自体の通信モジュールを介してデータ記憶モジュールの通信ユニットに接続することができ、且つ、データ使用家電Ｕは、その自体の制御モジュールを介してデータのダウンロード動作を実行することもできる。例えば、データ使用家電Ｕがスマート金魚鉢である場合、該スマート金魚鉢の通信モジュールがデータ記憶モジュールの通信ユニットと連通する場合、スマート金魚鉢内において、水温を一定に制御するための制御ユニットは、水温調整プログラムを設定する前に、まずスマート金魚鉢を制御してデータ記憶モジュールから入水温度情報を取得させることができる。
【００２３】
例示的に、データを記憶することができ、且つ家電と通信して接続することができるデータ記憶モジュールは、記憶ユニットを有する通信機器であってもよく、該記憶機器は、通信機器に内蔵された記憶機器であってもよく、通信機器と連通する記憶媒体であってもよい。例えば、通信機器がルータなどのローカルエリアネットワーク接続機器である場合、各家電の通信ユニットは、いずれもルータが連通するローカルエリアネットワークに接続され、それによって該ルータと通信して接続することができる。該ルータ内に、データを記憶することができるハードウェア機器が設置されてもよく、又は、該ルータはデータ記憶クラウドと連通してもよく、それによって各家電によってアップロードされたデータを記憶することができる。
【００２４】
上記については、説明しておきたいのは、まず、データ供給家電Ｐとデータ使用家電Ｕの数は限定されるものではなく、上記例は、複数のデータ供給家電Ｐと１つのデータ使用家電Ｕに関連して説明されたが、期間ごとにデータのアップロードを行うデータ供給家電Ｐと、データのダウンロードを行うデータ使用家電Ｕの数は、いずれも固定ではない。次に、本家電システムの複数の家電は、データ供給家電Ｐとデータ使用家電Ｕとを含むが、実際には、データ供給家電Ｐとデータ使用家電Ｕは、家電がデータを転送する時の状態のみを表し、データのアップロードとダウンロードの両方が可能な家電は、いずれもデータ転送の状態に応じてリアルタイムに区分することができる。例えば、スマート洗濯機が動作情報と水温情報をアップロードする場合、その時のスマート洗濯機はすなわちデータ供給家電Ｐであり、スマート洗濯機が水質情報をダウンロードする必要がある場合、その時のスマート洗濯機はすなわちデータ使用家電Ｕである。さらに、本発明の好ましい実施形態は、各スマート家電が同時にデータをアップロードおよびダウンロードすることができる場合に関連して説明されたが、実際に動作する場合、該システムは、データのダウンロードのみが可能な家電、又は、データのアップロードのみが可能な家電を一部含んでいてもよい。上記変更は、本発明の原理及び保護範囲を超えるものではない。
【００２５】
図２に示すように、上記設置によって、ユーザの家にある全てのスマート家電を、いずれもデータ記憶モジュールに接続することができ、それによって全てのスマート家電の間は、情報共有を実現することができ、データ記憶モジュールから動作プログラムを設定する基本的情報を取得するだけでなく、さらに他のスマート家電の動作情報又は収集された情報を取得することができ、それによってデータ使用家電Ｕは、プログラム設定を完了すると共に、他の有効な情報に基づいて、動作プログラムを最適化することができ、それにより各スマート家電の間では協調して動作することができ、個々のスマート家電の動作時の安定性と知能度を向上させるだけでなく、さらに全てのスマート家電のリアルタイムな動作を協調することができる。家庭用水のデータを例にして、浄水器Ｐ１は水質データを取得でき、スマート洗濯機Ｐ２は入水の温度データを収集でき、浄水器Ｐ１とスマート洗濯機Ｐ２が水質データと水温データをデータ記憶モジュールにアップロードする場合、スマート金魚鉢Ｕが鉢内の水を交換する必要がある時、スマート金魚鉢Ｕは、まずデータ記憶モジュールから水質データと水温データをダウンロードすることができ、それによって全ての入水プログラムの設定を完了することができる。
【００２６】
１つの可能な実施形態において、「データ供給家電Ｐは、自体の動作データをデータ記憶モジュールにアップロードする」ステップＳ１は、具体的には、
【００２７】
データ供給家電Ｐは、自体の全ての動作データを前記データ記憶モジュールにアップロードするステップを含む。
【００２８】
すなわち、データ供給家電Ｐは、データをアップロードするたびに全ての情報を変換してアップロードすればよく、データ使用家電Ｕは、データ記憶モジュール内に必要なデータを自主的に選択することができ、この場合、データ供給家電Ｐは、データのアップロードを実現するために、少なくとも、全ての情報を一時的に記憶できる記憶モジュールと、データ供給家電Ｐを制御してアップロードさせる制御モジュールを配置する必要がある。
【００２９】
他の可能な実施形態において、「データ供給家電９は、自体の動作データをデータ記憶モジュールにアップロードする」ステップＳ１は、具体的には、
【００３０】
データ供給家電は、予め設定されたアップロードされたデータのタイプに基づいてデータをスクリーニングするステップと、    
【００３１】
データ供給家電は、スクリーニングされたデータを前記データ記憶モジュールにアップロードするステップと、を含む。
【００３２】
上記実施形態において、データ供給家電Ｐは、他の家電に対して使用価値を有する有効な情報のみをアップロードする。この場合、データ供給家電Ｐは、記憶モジュールと制御モジュールの他、データをスクリーニングできるデータ処理モジュールを含む必要がある。例えば、データ供給家電Ｐが浄水器である場合、浄水器は、水に関するデータを予め設定されたアップロードされたデータのタイプとするができ、それによって浄水器は、フィルタリング時間、フィルタリング電力などの無効な情報をアップロードする必要がなく、水質データ、水温データなどの有効なデータをスクリーニングしてアップロードすることができる。それにより、アップロードされたデータを減少し、データをアップロードする時の効率を向上させることができる。
【００３３】
さらに、「データ使用家電Ｕは、データ記憶モジュールから必要なデータをダウンロードする」ステップＳ２は、具体的には、
【００３４】
データ使用家電Ｕは、データ記憶モジュール内の全てのデータをダウンロードするステップを含む。
【００３５】
この場合に、同様に、この時のデータ使用家電Ｕは、データのアップロードを実現するために、少なくとも、全ての情報を一時的に記憶できる記憶モジュールと、データ供給家電Ｐを制御してアップロードさせる制御モジュールを配置する必要がある。ダウンロードされた全てのデータには、無効な情報が含まれる場合、データ使用家電Ｕによってダウンロードされたデータをスクリーニングしてフィルタリングし、その自体の動作にマッチングする有効な情報のみを残し、情報をダウンロードする時の効率を保証する。もちろん、データ使用家電Ｕは、データ処理モジュールを配置しなくてもよく、無効情報の存在が該家電の正常な動作に影響しないという前提で、データ使用家電Ｕは、無効情報を消去し、又は採用しないようにすればよい。
【００３６】
代替可能な実施形態として、「データ供給家電Ｕは、データ記憶モジュールから必要なデータをダウンロードする」ステップＳ２は、具体的には、
【００３７】
データ使用家電Ｕは、予め設定された必要なデータのタイプに基づいて、データ記憶モジュール内にデータをスクリーニングするステップと、
【００３８】
データ使用家電Ｕは、データ記憶モジュールからスクリーニングされたデータをダウンロードするステップと、を含む。
【００３９】
上記実施形態において、図２に示すように、通信ユニットと記憶ユニットの他、データ記憶モジュールは、データ処理ユニットをさらに含む。データ使用家電Ｕが予め設定された必要なデータのタイプに基づいて、データ記憶モジュール内にデータをスクリーニングする場合、データ使用家電Ｕは、まず、予め設定された必要なデータのタイプを、データ記憶モジュールに送信し、それによってデータ記憶モジュール自体を介してデータのスクリーニングを完了することができる。このように設置する利点は、各データ使用家電Ｕがそれぞれデータ処理モジュールを備える必要がなく、データ記憶ユニットがデータ処理モジュールを備えるだけでよい点にある。
【００４０】
最後に、図３を参照し、図３は、本発明の家電システム用の制御方法の好ましい実施例の詳細なステップのフローチャートである。図３に示すように、
【００４１】
好ましい実施形態において、本発明の詳細なステップは、
【００４２】
データ供給家電Ｐは、自体の全ての動作データをデータ記憶モジュールにアップロードするステップＳ１０１と、
【００４３】
データ使用家電Ｕは、必要なデータのタイプをデータ記憶モジュールに送信し、それによってデータ記憶モジュールを介してデータをスクリーニングするステップＳ１０２と、
【００４４】
データ記憶モジュールは、受信した必要なデータのタイプに基づいてデータをスクリーニングするステップＳ１０３と、
【００４５】
データ使用家電Ｕは、スクリーニングされたデータをダウンロードするステップＳ１０４と、を含む。
【００４６】
最後に説明しておきたいのは、上記実施例は、いずれも本発明の好ましい実施形態であり、本発明の保護範囲を限定するものではない。当業者は、本発明を実際に使用する時、必要に応じて、一部のステップを適切に追加し又は削除してもよいし、又は異なるステップ間の順序を入れ替えてもよい。このような変更は、本発明の基本原理を超えるものではなく、本発明の保護範囲に属する。
【００４７】
ここまで、本発明の技術的解決手段を図面に示された好ましい実施形態に関連して説明したが、当業者が容易に理解できるのは、本発明の保護範囲が明らかにこれらの具体的な実施形態に限定されない。本発明の原理を逸脱することなく、当業者は、関連する技術的特徴について同等の変更又は置換を行うことができ、これらの変更又は置換後の技術的解決手段は、すべて本発明の保護範囲に入る。
【図１】
2021536053.tif 000003
【図２】
2021536053.tif 000004
【図３】
2021536053.tif 000005
【国際調査報告】
2021536053.tif 000006
2021536053.tif 000007
2021536053.tif 000008
2021536053.tif 000009
2021536053.tif 000010